(57)【要約】      （修正有）【課題】乾電池または乾電池を使用する電気器具において、大型乾電池の形状内スペースで同数のまたは複数の小型電池に置き換え、放電持続時間の増加または軽量化、低価格化、入手の容易さ、互換性を図る乾電池サイズ変換兼昇圧ホルダーを提供する。【解決手段】一個の大型乾電池の形状スペース内、または複数の大型乾電池群のうち一個の形状スペース内において、複数の小型乾電池２、３、４を並列配置し、直列配線により一個から複数個使用の切換えスイッチ１３により、必要電圧を確保することができる。【選択図】図２
0003214004.tif 000002
【実用新案登録請求の範囲】
【請求項１】
大型乾電池形状スペース内に複数個の小型乾電池を並列で配置し、直列配線として電圧の確保、上昇を図ることを特徴とする乾電池サイズ変換兼昇圧ホルダー。
【考案の詳細な説明】
【技術分野】
【０００１】
本考案は、複数個の小型乾電池を直列配線で大型乾電池1個の大きさに組み込むことによって、決められた大型乾電池使用電気器具内部の電池スペース内で、所定電圧の確保または昇圧を図るホルダーに関するものである。
【背景技術】
【０００２】
小型乾電池を大型乾電池と同じ形状のケースに装填し、大型電池の代用をさせるものは、放電時間が短かくなってしまう短所よりも、電気器具として他の多くの長所が有利となることが多く、一例として、単三型乾電池を単一型乾電池の大きさのスベーサーに内蔵させ、単一型乾電池の代用として使用可能とした変換ホルダーが考案、既に実用化されている。
【０００３】
また、複数の小型乾電池をひとつの大型乾電池と同じ形状のケースに並列で組み込み、使用時間の増加を図った変換ホルダーも考案、実用化されている。
【０００４】
大型乾電池を複数個使用する電気器具において、電池スペース内に同数の小型乾電池を電気良導体で連結し、且つ外形隙間を固定して使用する変換ホルダーが考案されている。
【０００５】
しかし、これらは電気器具内に装填しても、複数組電池として初期から電圧不足であったり、または使用に伴う電圧低下を改善するための所定電圧の確保または昇圧を企図したものではない。
【０００６】
従って、マンガン電池、アルカリ電池などの一次電池では、電気器具によって使用終期にまだ残留電圧があるけれども標準性能が発揮されないと自動判断し、作動が停止されてしまい、止む無く廃棄交換しなければならないと共に、大いに資源の無駄がある。
【０００７】
また、ニッカド乾電池、ニッケル水素乾電池などの二次電池(繰り返し充電型)の場合、その性能は、初期から一次電池よりも発生電圧が20%程度低いので、一次電池仕様で設計された電気器具では、差支えないとされているものの、早期に使用不可となったり、頻繁に充電して使用しなければならず、また少し劣化した電池では満充電してあっても使用不可であったりして極めて不都合であり、特に照明器具では最初からやや暗めに作動しており、器具の性能を十分発揮していないなどの問題がある。
【０００８】
一方、一個の乾電池または乾電池使用電気器具内の乾電池について、これを模擬電池とし、これに外部電源を接続して使用できる、外付け型のアダプターが考案されている。
【０００９】
しかし、これは不足電圧を補う電圧確保または昇圧が可能であるが、乾電池形状内または電気器具内に内蔵できるものではないという問題がある。
【先行技術文献】
【特許文献】
【００１０】
【特許文献１】特開２００６−１９０５０４（Ｐ２００６−１９０５０４Ａ）号公報
【００１１】
【特許文献２】国際特許出願  ＰＣＴ／ＪＰ２０１１／６７２６１
【００１２】
【特許文献３】実開平 ６−５８５５１号公報
【００１３】
【特許文献４】実  願  昭６３−１８７６７号公報
【００１４】
【特許文献５】実開平 ７−１６３６３号公報
【考案の概要】
【考案が解決しようとする課題】
【００１５】
解決しようとする問題点は、乾電池または乾電池を使用する電気器具において、大型乾電池の形状内スペースで同数のまたは複数の小型電池に置き換え、せいぜい放電持続時間の増加または軽量化、低価格化、入手の容易さ、互換性を図るものであって、限られた大型乾電池形状スペース内で小型電池に置き換えるものの、不足電圧の確保のための電圧の上昇を図るということができない点である。
【課題を解決するための手段】
【００１６】
本考案は、一個の乾電池または乾電池複数使用電気器具において、従来技術で大型電池を小型電池に変換する方法と違って、乾電池一個、または前記電気器具としての電圧を確保することを可能とするため、一個の大型乾電池の形状スペース内、または複数の大型乾電池群のうち一個の形状スペース内において、電気的絶縁材を介して複数の小型乾電池を配置し、一個使用と複数個使用の切換えスイッチと直列接続で配線することにより、他は小型乾電池に変換して同一乾電池を使用することで、一個または前記電気器具として電圧の上昇を図って必要電圧を確保することを最も主要な特徴とする。
【考案の効果】
【００１７】
本考案の乾電池サイズ変換兼昇圧ホルダーは、一個の乾電池または複数の乾電池を使用する電気器具において、その大型乾電池の形状スペース内で必要電圧の確保ができるので、小型乾電池で経済性、軽量化が図れるだけでなく、適正な電圧による電気器具の作動が可能となり、また使用終期の小型乾電池を延命し、省資源、経済性が図れるという利点がある。
【図面の簡単な説明】
【００１８】
【図１】図１は乾電池サイズ変換兼昇圧ホルダーの実施方法を示した説明図である。（実施例１）
【図２】図２は乾電池サイズ変換兼昇圧ホルダーの実施方法を示した説明図である。
【図３】図３は乾電池サイズ変換兼昇圧ホルダーの（＋）極側を示した説明図である。
【図４】図４は乾電池サイズ変換兼昇圧ホルダーの（−）極側を示した説明図である。
【図５】図５は乾電池サイズ変換兼昇圧ホルダーの内部配線例を示した説明図である。
【図６】図６は乾電池サイズ変換兼昇圧ホルダー内の全体配線例を示した説明図である。
【図７】図７は乾電池サイズ変換兼昇圧ホルダーを使用した電気器具の説明図である。(実施例２)
【考案を実施するための形態】
【００１９】
一個の大型乾電池形状スペース内または複数の大型乾電池を使用する電気器具内の大型乾電池形状スペース内で、それより小型の乾電池を直列配線で複数配置することにより、高額な昇圧装置を使用することなく、必要な乾電池電圧または電気器具設定電圧を確保するという目的を、経済的に実現した。
【実施例１】
【００２０】
図１は、本考案装置を使用した実施例のイメージ断面図で、大型乾電池形状スペースに内蔵する小型電池の配置例である。
【００２１】
図２は、本考案装置の乾電池サイズ変換兼昇圧ホルダーの実施例で、２個の小型乾電池を直列配線で配置した場合の例である。
【００２２】
図３は、本考案装置の乾電池サイズ変換兼昇圧ホルダーの(＋)極側から見た実施例で、同ホルダー１の（＋）極５と小型乾電池２の（＋）極７とを接続することができるようになっている。
【００２３】
図４は、本考案装置の乾電池サイズ変換兼昇圧ホルダーの(−)極側から見た実施例で、同ホルダー１の（−）極６と小型乾電池２、３、４のいずれかの（−）極１０、１１、１２とを回転接点を持つ切換えスイッチ１３で接続することができるようになっている。
【００２４】
このように本考案装置の乾電池サイズ変換兼昇圧ホルダーは、その形状スペース内で複数の小型乾電池を並列配置で直列配線と切換えスイッチを施すことにより、小型乾電池一個から複数個直列使用できるので電圧を自由に取り出せるようになっている。
【００２５】
図５は、図２を補足するもので乾電池サイズ変換兼昇圧ホルダー１に小型乾電池２及び３を金属バネ１４、１５などでしっかり保持し、直列合計電圧を取り出せる、断面的に示した実施例である。
【００２６】
図６は、乾電池サイズ変換兼昇圧ホルダー１に小型乾電池を配置した場合の配線イメージを示した実施例である。
【実施例２】
【００２７】
図７は、既往の乾電池変換ホルダーと同数の小型乾電池並びに本考案の乾電池サイズ変換兼昇圧ホルダー１を用いて小型乾電池２及び３を使用した電気器具の配線イメージを示した実施例である。
【００２８】
単一乾電池4ケ6V用電気器具に本考案を使用した電圧の比較例
【表１】
0003214004.tif 000003
【産業上の利用可能性】
【００２９】
大型乾電池形状内という限られたスペースの中で、小型乾電池を必要に応じて一個または複数個使用し、並列配置で直列配線とし、切替えスイッチで有効電圧を経済的に確保できるので、小型乾電池の有効利用や普及が促進されると共に電気器具の正常な使用、防災用具の軽量化、費用の軽減などに役立つ。
【符号の説明】
【００３０】
１    乾電池サイズ変換兼昇圧ホルダー    
２    小型乾電池
３    小型乾電池
４    小型乾電池
５    乾電池サイズ変換兼昇圧ホルダーの(＋)極
６    乾電池サイズ変換兼昇圧ホルダーの(−)極
７    小型乾電池２の(＋)極
８    小型乾電池３の(＋)極
９    小型乾電池4の(＋)極
１０  小型乾電池２の(−)極
１１  小型乾電池３の(−)極
１２  小型乾電池４の(−)極
１３  乾電池サイズ変換兼昇圧ホルダー内の小型乾電池直列使用個数の切り替えスイッチ
１４  乾電池サイズ変換兼昇圧ホルダーの小型乾電池２を保持する金属バネ付き（−）極接点
１５  乾電池サイズ変換兼昇圧ホルダーの小型乾電池３を保持する金属バネ付き（−）極接点
１６  乾電池サイズ変換兼昇圧ホルダーの骨組みとなる電気的絶縁体
１７  乾電池サイズ変換兼昇圧ホルダーの骨組みとなる電気的絶縁体
１８  乾電池サイズ変換兼昇圧ホルダーの骨組みとなる電気的絶縁体
【図１】
0003214004.tif 000004
【図２】
0003214004.tif 000005
【図３】
0003214004.tif 000006
【図４】
0003214004.tif 000007
【図５】
0003214004.tif 000008
【図６】
0003214004.tif 000009
【図７】
0003214004.tif 000010